(57)【特許請求の範囲】
【請求項１】
複数の表示装置と再生装置とを接続してネットワークを形成し、前記表示装置を介して前記再生装置で再生される所定の情報信号をユーザーに提供する情報信号伝送システムにおいて、
前記再生装置の制御に係る指示より、前記情報信号の提供対象を特定する識別情報を検出することにより、前記情報信号の提供対象を検出する提供対象検出手段と、
前記識別情報を記録する記録手段と、
前記記録手段に記録された前記識別情報により、前記提供対象検出手段で検出される識別情報を判定する判定手段と、
前記情報信号の出力を制御する制御手段とを有し、
前記制御手段は、
前記複数の表示装置の１つの表示装置からの前記情報信号の提供開始の指示により、前記提供対象検出手段で検出される識別情報を前記記録手段に記録すると共に、該指示に係る表示装置を介した前記情報信号の提供を開始し、
前記１つの表示装置からの前記情報信号の提供の中止の指示により、前記情報信号の提供を中止し、
前記１つの表示装置とは異なる表示装置からの前記中止した情報信号の提供再開の指示に対して、前記判定手段による判定結果に基づいて、前記記録手段に記録された前記識別情報と前記提供対象検出手段で検出される識別情報とが一致する場合に、該一致に係る前記表示装置を介して前記中止した情報信号の続きの提供を開始し、
前記識別情報が、リモートコマンダより出力される遠隔制御信号に設定された識別情報であり、
前記複数の表示装置は、
前記識別情報を受信して前記提供対象検出手段に通知する
ことを特徴とする情報信号伝送システム。
【請求項２】
前記記録手段は、
初期状態においては、デフォルト値が記録され、
前記判定手段は、
前記記録手段にデフォルト値が記録されている場合、前記記録手段に記録された前記識別情報と前記提供対象検出手段で検出される識別情報とが一致するとの判定結果を出力し、
前記制御手段は、
前記１つの表示装置とは異なる表示装置からの前記情報信号の提供再開の指示により、前記判定手段による判定結果に基づいて、前記記録手段に記録された前記識別情報と前記提供対象検出手段で検出される識別情報とが一致するとの判定結果が得られない場合、該指示に係る表示装置を介した前記情報信号の提供を中止する
ことを特徴とする請求項１に記載の情報信号伝送システム。
【請求項３】
前記制御手段は、
前記情報信号の提供の完了により、前記記録手段にデフォルト値を記録する
ことを特徴とする請求項２に記載の情報信号伝送システム。
【請求項４】
前記制御手段は、
前記情報信号の提供開始の指示に係る機器の属性情報を判断し、該判断結果に基づいて接続可能な機器を検出し、該接続可能な機器に対してのみ、前記情報信号の提供を開始する
ことを特徴とする請求項１に記載の情報信号伝送システム。
【請求項５】
前記制御手段は、
前記判断結果に基づいて、接続困難な機器に対しては、その旨、通知する
ことを特徴とする請求項４に記載の情報信号伝送システム。
【請求項６】
前記記録手段、前記提供対象検出手段、前記判定手段、制御手段が、
前記再生装置に設けられた
ことを特徴とする請求項１に記載の情報信号伝送システム。
【請求項７】
前記記録手段、前記提供対象検出手段、前記判定手段、制御手段が、
前記複数の表示装置のうちの第１の表示装置に設けられ、
前記複数の表示装置のうちの他の表示装置は、
前記第１の表示装置を介して前記情報信号を入力する
ことを特徴とする請求項１に記載の情報信号伝送システム。
【請求項８】
前記識別情報が、ユーザー毎のリモートコマンダに設定された識別情報である
ことを特徴とする請求項１に記載の情報信号伝送システム。
【請求項９】
前記識別情報が、リモートコマンダの操作子に設定された識別情報である
ことを特徴とする請求項１に記載の情報信号伝送システム。
【請求項１０】
前記識別情報が、リモートコマンダにおける音声認識によるユーザーの判定により設定される識別情報である
ことを特徴とする請求項１に記載の情報信号伝送システム。
【請求項１１】
複数の表示装置と接続してネットワークを形成し、再生した情報信号を前記ネットワークに出力して、前記表示装置を介して前記情報信号をユーザーに提供する再生装置において、
前記ネットワークより得られる前記表示装置からの指示より、前記情報信号の提供対象を特定する識別情報を検出することにより、前記情報信号の提供対象を検出する提供対象検出手段と、
前記識別情報を記録する記録手段と、
前記記録手段に記録された前記識別情報により、前記提供対象検出手段で検出される識別情報を判定する判定手段と、
前記情報信号の出力を制御する制御手段とを有し、
前記制御手段は、
前記複数の表示装置の１つの表示装置からの前記情報信号の提供開始の指示により、前記提供対象検出手段で検出される識別情報を前記記録手段に記録すると共に、該指示に係る表示装置を介した前記情報信号の提供を開始し、
前記１つの表示装置からの前記情報信号の提供の中止の指示により、前記情報信号の提供を中止し、
前記１つの表示装置とは異なる表示装置からの前記中止した情報信号の提供再開の指示に対して、前記判定手段による判定結果に基づいて、前記記録手段に記録された前記識別情報と前記提供対象検出手段で検出される識別情報とが一致する場合に、該一致に係る前記表示装置を介して前記中止した情報信号の続きの提供を開始し、
前記識別情報が、リモートコマンダより出力される遠隔制御信号に設定された識別情報であり、
前記複数の表示装置は、
前記識別情報を受信して前記提供対象検出手段に通知する
ことを特徴とする再生装置。
【請求項１２】
前記記録手段は、
初期状態においては、デフォルト値が記録され、
前記判定手段は、
前記記録手段にデフォルト値が記録されている場合、前記記録手段に記録された前記識別情報と前記提供対象検出手段で検出される識別情報とが一致するとの判定結果を出力し、
前記制御手段は、
前記１つの表示装置とは異なる表示装置からの前記情報信号の提供再開の指示により、前記判定手段による判定結果に基づいて、前記記録手段に記録された前記識別情報と前記提供対象検出手段で検出される識別情報とが一致するとの判定結果が得られない場合、該指示に係る表示装置を介した前記情報信号の提供を中止する
ことを特徴とする請求項１１に記載の再生装置。
【請求項１３】
前記制御手段は、
前記情報信号の提供の完了により、前記記録手段にデフォルト値を記録する
ことを特徴とする請求項１２に記載の再生装置。
【請求項１４】
少なくとも他の表示装置、再生装置と接続してネットワークを形成し、前記再生装置で再生される情報信号をユーザーに提供する表示装置において、
前記他の表示装置への前記ユーザーからの指示、当該表示装置への前記ユーザーからの指示より、前記情報信号の提供対象を特定する識別情報を検出することにより、前記情報信号の提供対象を検出する提供対象検出手段と、
前記識別情報を記録する記録手段と、
前記記録手段に記録された前記識別情報により、前記提供対象検出手段で検出される識別情報を判定する判定手段と、
前記情報信号の出力を制御する制御手段とを有し、
前記制御手段は、
前記情報信号の提供開始の指示により、前記提供対象検出手段で検出される識別情報を前記記録手段に記録すると共に、該指示が前記他の表示装置へのユーザーからの指示によるものの場合、前記再生装置より入力される前記情報信号を前記他の表示装置に出力することにより、前記他の表示装置を介して前記情報信号の提供を開始し、該指示が当該表示装置への前記ユーザーからの指示によるものの場合、前記再生装置より入力される前記情報信号のユーザーへの提供を開始し、
前記情報信号を提供している表示装置からの前記情報信号の提供の中止の指示により、当該表示装置又は前記他の表示装置を介した前記情報信号の提供を中止し、
前記情報信号の提供を中止した表示装置とは異なる表示装置からの前記中止した情報信号の提供再開の指示に対して、前記判定手段による判定結果に基づいて、前記記録手段に記録された前記識別情報と前記提供対象検出手段で検出される識別情報とが一致する場合に、該一致に係る表示装置を介して前記中止した情報信号の続きの提供を開始し、
前記識別情報が、リモートコマンダより出力される遠隔制御信号に設定された識別情報である
ことを特徴とする表示装置。
【発明の詳細な説明】
【０００１】
【発明の属する技術分野】
本発明は、情報信号伝送システム、再生装置及び表示装置に関し、例えばＩＥＥＥ (The Institute of Electrical and Electoronics Engineers,Inc. ）１３９４でビデオ機器を接続する場合に適用することができる。本発明は、情報提供対象を検出し、この情報提供対象に応じて、機器を切り換えて連続する情報信号を提供することにより、簡易な操作で、例えば居間で視聴していた番組を引続き寝室で視聴できるようにし、この種のネットワークの使い勝手を向上する。
【０００２】
【従来の技術】
従来、各種のビデオ機器は、テレビジョンチュナー、モニタ装置、光ディスク装置等を接続してＡＶシステムを構成する場合、例えばこの種のビデオ機器の最終的な出力装置でなる表示装置等を中心に各ビデオ機器を専用線で接続してシステムを構成するようになされている。
【０００３】
すなわちこのようなビデオ機器によりＡＶシステムを構成する場合、テレビジョンチュナー、光ディスク装置等のビデオソースは、何れの場合でも、最終的な出力対象でなるモニタ装置にビデオ信号及びオーディオ信号を出力することになる。これによりこの種のシステムでは、モニタ装置に複数のビデオ入力端子、オーディオ入力端子を配置し、これらビデオ入力端子及びオーディオ入力端子に各ビデオソースよりビデオ信号及びオーディオ信号を入力する。
【０００４】
また光ディスク装置等の記録機能を有するビデオ機器に対しては、モニタ装置の外部出力端子を介して、又は直接に、チュナー等のビデオソースを接続してビデオ信号及びオーディオ信号を入力するようになされている。このような接続において、ビデオ機器は、シールド線、同軸ケーブルを用いてビデオ信号、オーディオ信号を伝送し、これによりノイズ等の混入を低減できるようになされている。
【０００５】
これに対してディジタル信号によりビデオ信号を処理するようになされたカメラ一体型のビデオテープレコーダ等においては、例えばＩＥＥＥ１３９４に規定のインターフェースによりビデオ信号及びオーディオ信号を入出力できるようになされている。
【０００６】
【発明が解決しようとする課題】
ところでこのようなＩＥＥＥ１３９４のインターフェースは、１つのバスを時分割により複数の機器で使用することにより、リング状に、又はスター状に機器を接続してネットワークを構成することができ、これにより簡易にビデオ機器を接続できると考えられる。
【０００７】
これにより１棟の住居内でこの種のネットワークを簡易に作成して、例えば居間に配置した光ディスク装置により再生した映像信号を、寝室に配置したモニタ装置でモニタすることができる。
【０００８】
このような場合に、簡易な操作により、それまで居間で視聴していた光ディスク装置による番組を、引続き寝室で試聴することができれば、便利であると考えられる。
【０００９】
本発明は以上の点を考慮してなされたもので、簡易な操作で、機器を切り換えて連続する映像信号等の情報信号を提供することができる情報信号伝送システム、この情報伝送システムに係る再生装置及び表示装置を提案しようとするものである。
【００１０】
【課題を解決するための手段】
かかる課題を解決するため請求項１の発明においては、情報信号伝送システムに関し、前記再生装置の制御に係る指示より、前記情報信号の提供対象を特定する識別情報を検出することにより、前記情報信号の提供対象を検出する提供対象検出手段と、前記識別情報を記録する記録手段と、前記記録手段に記録された前記識別情報により、前記提供対象検出手段で検出される識別情報を判定する判定手段と、前記情報信号の出力を制御する制御手段とを有し、前記制御手段は、前記複数の表示装置の１つの表示装置からの前記情報信号の提供開始の指示により、前記提供対象検出手段で検出される識別情報を前記記録手段に記録すると共に、該指示に係る表示装置を介した前記情報信号の提供を開始し、前記１つの表示装置からの前記情報信号の提供の中止の指示により、前記情報信号の提供を中止し、前記１つの表示装置とは異なる表示装置からの前記中止した情報信号の提供再開の指示に対して、前記判定手段による判定結果に基づいて、前記記録手段に記録された前記識別情報と前記提供対象検出手段で検出される識別情報とが一致する場合に、該一致に係る前記表示装置を介して前記中止した情報信号の続きの提供を開始し、前記識別情報が、リモートコマンダより出力される遠隔制御信号に設定された識別情報であり、前記複数の表示装置は、前記識別情報を受信して前記提供対象検出手段に通知する。また請求項１１の発明においては、再生装置に適用して、前記ネットワークより得られる前記表示装置からの指示より、前記情報信号の提供対象を特定する識別情報を検出することにより、前記情報信号の提供対象を検出する提供対象検出手段と、前記識別情報を記録する記録手段と、前記記録手段に記録された前記識別情報により、前記提供対象検出手段で検出される識別情報を判定する判定手段と、前記情報信号の出力を制御する制御手段とを有し、前記制御手段は、前記複数の表示装置の１つの表示装置からの前記情報信号の提供開始の指示により、前記提供対象検出手段で検出される識別情報を前記記録手段に記録すると共に、該指示に係る表示装置を介した前記情報信号の提供を開始し、前記１つの表示装置からの前記情報信号の提供の中止の指示により、前記情報信号の提供を中止し、前記１つの表示装置とは異なる表示装置からの前記中止した情報信号の提供再開の指示に対して、前記判定手段による判定結果に基づいて、前記記録手段に記録された前記識別情報と前記提供対象検出手段で検出される識別情報とが一致する場合に、該一致に係る前記表示装置を介して前記中止した情報信号の続きの提供を開始し、前記識別情報が、リモートコマンダより出力される遠隔制御信号に設定された識別情報であり、前記複数の表示装置は、前記識別情報を受信して前記提供対象検出手段に通知する。
【００１１】
また請求項１４の発明においては、表示装置に適用して、前記他の表示装置への前記ユーザーからの指示、当該表示装置への前記ユーザーからの指示より、前記情報信号の提供対象を特定する識別情報を検出することにより、前記情報信号の提供対象を検出する提供対象検出手段と、前記識別情報を記録する記録手段と、前記記録手段に記録された前記識別情報により、前記提供対象検出手段で検出される識別情報を判定する判定手段と、前記情報信号の出力を制御する制御手段とを有し、前記制御手段は、前記情報信号の提供開始の指示により、前記提供対象検出手段で検出される識別情報を前記記録手段に記録すると共に、該指示が前記他の表示装置へのユーザーからの指示によるもものの場合、前記再生装置より入力される前記情報信号を前記他の表示装置に出力することにより、前記他の表示装置を介して前記情報信号の提供を開始し、該指示が当該表示装置への前記ユーザーからの指示によるものの場合、前記再生装置より入力される前記情報信号のユーザーへの提供を開始し、前記情報信号の提供の中止の指示により、当該表示装置又は前記他の表示装置を介した前記情報信号の提供を中止し、前記中止した情報信号の提供再開の指示に対して、前記判定手段による判定結果に基づいて、前記記録手段に記録された前記識別情報と前記提供対象検出手段で検出される識別情報とが一致する場合に、該一致に係る表示装置を介して前記中止した情報信号の続きの提供を開始し、前記識別情報が、リモートコマンダより出力される遠隔制御信号に設定された識別情報である。
【００１２】
請求項１の構成により、情報信号伝送システムに関し、前記再生装置の制御に係る指示より、前記情報信号の提供対象を特定する識別情報を検出することにより、前記情報信号の提供対象を検出する提供対象検出手段と、前記識別情報を記録する記録手段と、前記記録手段に記録された前記識別情報により、前記提供対象検出手段で検出される識別情報を判定する判定手段と、前記情報信号の出力を制御する制御手段とを有し、前記制御手段は、前記複数の表示装置の１つの表示装置からの前記情報信号の提供開始の指示により、前記提供対象検出手段で検出される識別情報を前記記録手段に記録すると共に、該指示に係る表示装置を介した前記情報信号の提供を開始し、前記１つの表示装置からの前記情報信号の提供の中止の指示により、前記情報信号の提供を中止し、前記１つの表示装置とは異なる表示装置からの前記中止した情報信号の提供再開の指示に対して、前記判定手段による判定結果に基づいて、前記記録手段に記録された前記識別情報と前記提供対象検出手段で検出される識別情報とが一致する場合に、該一致に係る前記表示装置を介して前記中止した情報信号の続きの提供を開始し、前記識別情報が、リモートコマンダより出力される遠隔制御信号に設定された識別情報であり、前記複数の表示装置は、前記識別情報を受信して前記提供対象検出手段に通知すれば、第１の表示装置により所定の提供対象に提供した情報信号を、引き続いて第２の表示装置により提供することができる。また第３者へのこのような引き続きの情報信号の提供については、防止することができる。これにより請求項１１の構成によれば、再生装置に必要な構成を設けて、第３者への引き続きの情報信号の提供を防止するようにした上で、簡易な操作で、例えば居間で視聴していた番組を引続き寝室で視聴できるようにし、この種のネットワークの使い勝手を向上することができる。
【００１３】
また請求項１４の構成によれば、表示装置に必要な構成を設けて、第３者への引き続きの情報信号の提供を防止するようにした上で、簡易な操作で、例えば居間で視聴していた番組を引続き寝室で視聴できるようにし、この種のネットワークの使い勝手を向上することができる。
【００１４】
【発明の実施の形態】
以下、適宜図面を参照しながら本発明の実施の形態を詳述する。
【００１５】
（１）第１の実施の形態
図１は、本発明の第１の実施の形態に係るＡＶシステムを示すブロック図である。このＡＶシステム１は、光ディスク装置２、モニタ装置３Ａ及び３ＢをＩＥＥＥ１３９４に規定されたバスＢＵＳにより接続し、光ディスク装置２、モニタ装置３Ａ及び３Ｂによりネットワークを形成する。さらにＡＶシステム１は、リモートコマンダ４の操作により、又は各機器の直接の操作により動作を切り換え、光ディスク装置２で再生したビデオ信号及びオーディオ信号を、光ディスク装置２と同じ部屋に配置したモニタ装置３Ａ、又は光ディスク装置２と異なる部屋に配置したモニタ装置３Ｂでモニタする。
【００１６】
ここで光ディスク装置２において、映像再生部６は、制御部７により制御されて動作を切り換え、光ディスクに記録されたビデオ信号及びオーディオ信号を再生して出力する。映像出力部８は、制御部７により制御されて動作を切り換え、映像再生部６の出力データを符号化処理してネットワークインターフェース９に出力する。
【００１７】
制御部７は、この光ディスク装置２の動作を制御するマイクロコンピュータにより構成され、図示しない光ディスク装置２に配置された操作子の操作に応動して、また通信制御部１０より入力される制御コマンドに応じて、全体の動作を切り換える。
【００１８】
ネットワークインターフェース９は、このＩＥＥＥ１３９４に規定された通信処理を実行する入出力回路により構成され、この光ディスク装置２がバスＢＵＳに接続された後、アイドリング状態に立ち上げられると、このバスＢＵＳに接続された各機器のネットワークインターフェース等と所定の通信処理を実行し、これにより光ディスク装置２の機器アドレスを取得する。
【００１９】
ここでこの機器アドレスは、ブリッジにより接続した各バスを識別するバスアドレスと、各バス上におけるノードアドレスにより構成され、他のビデオ機器と重複したアドレスが設定されないようになされている。かくするにつき、このネットワークにおいては、ブリッジによりバスを接続して、バス間でビデオ信号及びオーディオ信号を送受できるように構成され、このためこの各バスを識別するバスアドレスが設定されるようになされている。
【００２０】
ネットワークインターフェース９は、他のビデオ機器との間の通信により未だ他のビデオ機器に割り当てられていない機器アドレスを取得し、この取得した機器アドレスを保持する。なおネットワークインターフェース９は、バスＢＵＳの状態を監視し、例えば何れかの機器がバスＢＵＳより切り離されると、この状態を検出する。さらにこの検出結果に基づいて、改めて機器アドレスの検出処理を実行する。
【００２１】
さらにネットワークインターフェース９は、この取得した機器アドレスを基準にしてこのネットワークを形成する他のビデオ機器より出力されたデータを取り込んで通信制御部１０に出力する。またネットワークインターフェース９は、通信制御部１０より出力される機器コマンドを付加して、この通信制御部１０より出力されるデータ、映像出力部８より出力されるデータを他のビデオ機器に送出する。
【００２２】
すなわちこのＡＶシステム１においては、パケット通信により種々のデータを送受するようになされており、各パケットは、図２に示すように、先頭領域より、各パケットを示すヘッダデータと、このヘッダデータの誤り訂正符号が配置される。さらにデータフィールドのヘッダが配置された後、データフィールドが配置され、続いてこのデータフィールドの誤り訂正符号が配置される。各パケットは、各機器にビデオ信号、オーディオ信号、制御コマンド等を送出する場合、さらには機器アドレスを取得する場合、これらのビデオ信号、オーディオ信号、制御コマンド等がデータフィールドに割り当てられ、送信先の機器アドレスがデータフィールドのヘッダに設定される。
【００２３】
かくするにつきネットワークインターフェース９は、このデータフィールドのヘッダに設定された機器アドレスを監視して、光ディスク装置２を指定するパケットを取り込んだ後、データフィールドに割り当てられたデータを誤り訂正処理して通信制御部１０に出力する。これによりネットワークインターフェース９は、このデータフィールドに割り当てられたデータにより通信制御部１０に制御コマンド、送出先の機器アドレス等を通知する。またビデオ信号及びオーディオ信号をこのデータフィールドに割り当てると共に、データフィールドのヘッダに送出先の機器アドレスを設定して、この機器アドレスにより指定した機器にビデオ信号及びオーディオ信号を送出する。
【００２４】
メモリ１２は、光ディスクの番組提供先の識別情報ＩＤ１を保持する。ここでこの識別情報ＩＤは、リモートコマンダ４に割り当てられたＩＤ１であり、この実施の形態においては、複数台のリモートコマンダを各ユーザーがそれぞれ保持するようになされている。これによりメモリ１２は、現在、何れのユーザーに対してビデオ信号及びオーディオ信号を提供しているのかを記録することになる。なおメモリ１２は、初期状態においては、デフォルト値が記録されるようになされている。
【００２５】
判定部１３は、識別情報検出部１４で検出される識別情報ＩＤ２と、メモリ１２に格納された識別情報ＩＤ１との一致不一致を判定し、判定結果を出力する。このとき判定部１３は、メモリ１２にデフォルト値が記録されている場合、一致の判定結果を出力する。これにより判定部１３は、他のビデオ機器より入力される制御コマンドが、光ディスクの番組提供先でなる個人によるものか否か判断するようになされている。
【００２６】
識別情報検出部１４は、ネットワークインターフェース９から通信制御部１０に入力されるデータより、識別情報ＩＤ１、ＩＤ２を検出して出力する。
【００２７】
通信制御部１０は、このネットワークインターフェース９を介して入力されるデータフィールドのデータを解析して、必要に応じて制御部７に制御コマンドを発行する。また制御部７との間のデータ通信により必要に応じてネットワークインターフェース９を介して種々のデータを送出する。
【００２８】
すなわち通信制御部１０は、光ディスク装置２を指定したパケットが伝送されると、このパケットのデータフィールドのデータをネットワークインターフェース９より取得する。さらに通信制御部１０は、判定部１３より一致の判定結果が得られると、データフィールドのデータを解析する。このときこのデータフィールドのデータが光ディスク装置の再生を要求する制御コマンド等の場合、このデータフィールドに設定された属性情報と、光ディスク装置２の属性情報とを比較し、この再生要求を発行した機器に対して接続可能か否か判断する。
【００２９】
ここで属性情報は、各機器の属性を示す情報により構成され、この光ディスク装置の場合、光ディスク装置２のメーカー名、機器の種別（チュナー、モニタ装置等の種別でなる）を示す分類コード、出力データの形式（ＭＰＥＧ２、ＭＰＥＧ４、ディジタルオーディオインターフェース等でなる）により構成される。これにより通信制御部１０は、具体的には、この属性情報に設定された出力データの形式が、自己の形式と一致するか否か判定して、接続可能か否か判断する。
【００３０】
ここで接続可能と判断される場合、通信制御部１０は、再生要求を発行した機器アドレスを送信先アドレスに設定して、応答の制御コマンドを発行した後、制御部７を制御して光ディスクを再生し、また同一の機器アドレスをネットワークインターフェース９に設定して、光ディスクを再生して得られるビデオ信号及びオーディオ信号を、再生要求の発行した機器に送出する。
【００３１】
通信制御部１０は、同様の処理を繰り返すことにより、他の機器からの要求に応動して制御部７との間のデータ通信により、光ディスクを再生し、また再生動作を一時停止する。
【００３２】
これに対して判定部１３より一致の判定結果を得ることができない場合、通信制御部１０は、他の機器より入力された対応する制御コマンドを無視する。これにより光ディスク装置２では、一旦メモリ１２に登録した識別情報ＩＤ１を割り当ててなるリモートコマンダ４が操作された場合だけ、ビデオ信号及びオーディオ信号の送出先を変更し、使い勝手を向上できるようになされている。さらに通信制御部１０は、属性情報より接続困難と判定した場合、その旨対応する機器に通知する。
【００３３】
これに対してモニタ装置３Ａ及び３Ｂは、機器アドレスが異なる点、異なる部屋に配置されている点を除いて、同一に構成される。これによりここではモニタ装置３Ａについて構成を説明し、重複した説明は省略する。
【００３４】
モニタ装置３Ａにおいて、表示部１５は、制御部１６により制御されて動作を切り換え、映像入力部１７より入力されるビデオ信号を表示し、また同様に映像入力部１７より入力されるオーディオ信号を出力する。映像入力部１７は、制御部１６により制御されて動作を切り換え、ネットワークインターフェース１８を介してバスＢＵＳよりビデオ信号及びオーディオ信号を入力する。さらに映像入力部１７は、この入力したビデオ信号及びオーディオ信号を復号して表示部１５に出力する。これによりモニタ装置３Ａは、光ディスク装置２で再生したビデオ信号及びオーディオ信号をモニタできるようになされている。
【００３５】
リモコン受信部２０は、リモートコマンダ４より送出される遠隔制御信号を受信し、その受信結果を制御部１６、通信制御部１９、識別情報検出部２１に出力する。
【００３６】
制御部１６は、このモニタ装置３Ａの動作を制御するマイクロコンピュータにより構成され、図示しないモニタ装置３Ａに配置された操作子の操作に応動して全体の動作を切り換え制御する。また制御部１６は、リモコン受信部２０の受信結果よりモニタ装置３Ａに割り当てられた制御コマンドを検出し、この制御コマンドに従って全体の動作を切り換え制御する。さらに制御部１６は、同様に、通信制御部１９より入力される制御コマンドに応じて全体の動作を切り換える。
【００３７】
ネットワークインターフェース１８は、光ディスク装置２のネットワークインターフェース９と同様に、機器アドレスを取得する。さらにバスＢＵＳを監視してモニタ装置３Ａに割り当てられたパケットを受信し、そのデータフィールドに割り当てられたデータを通信制御部１９、映像入力部１７に出力する。これによりネットワークインターフェース１８は、光ディスク装置２よりモニタ装置２Ａに向けて送出されたビデオ信号及びオーディオ信号を映像入力部１７に入力し、また他の機器よりモニタ装置３Ａに向けて送出された制御コマンド等を取得する。
【００３８】
またネットワークインターフェース１８は、通信制御部１９により制御されて、通信制御部１９により指定された機器に対して、通信制御部１９の出力データを送出する。これによりモニタ装置３Ａでは、他の機器に対して制御コマンド等を送出できるようになされている。
【００３９】
ＩＤ入力操作子２２は、このモニタ装置３Ａに配置された複数の押圧操作子により構成され、各操作子にそれぞれ各識別情報ＩＤが対応するようになされている。ここでこのＩＤ入力操作子２２において、各操作子による識別情報ＩＤは、各リモートコマンダ４の識別情報ＩＤに対応して設定されるようになされている。これによりモニタ装置３Ａでは、ＩＤ入力操作子２２を選択操作した後、図示しない操作子を操作することにより、この図示しない操作子の操作を制御部１６により検出して対応する制御コマンドを通信制御部１９に通知し、この通信制御部１９でこの制御コマンドに対応する識別情報を付加できるようになされている。
【００４０】
かくするにつき、識別情報検出部２１は、このＩＤ入力操作子２２の操作を検出して対応する識別情報を通信制御部１９に通知する。また識別情報検出部２１は、リモコン受信部２０の受信結果より、リモートコマンダ４の遠隔制御信号に付加された識別情報を検出して通信制御部１９に出力する。
【００４１】
通信制御部１９は、リモコン受信部２０を介して入力される制御コマンドを解析し、解析結果に基づいてこの制御コマンドをネットワークインターフェース１８より出力する。このとき通信制御部１９は、識別情報検出部２１により検出された識別情報、モニタ装置２Ａの属性情報、機器アドレスを付加して制御コマンドを発行する。これにより通信制御部１９は、例えばリモートコマンダ４より光ディスク装置２の再生コマンドが送出されると、制御部１６を制御してモニタ装置３Ａの主電源を立ち上げた後、識別情報、属性情報、機器アドレスを付加してこの再生コマンドを光ディスク装置２に転送する。さらにこの光ディスク装置２において判定される識別情報、属性情報に従って、光ディスク装置２より応答のコマンドが得られると、続いて光ディスク装置２より送出されるビデオ信号及びオーディオ信号をユーザーに提供する。
【００４２】
かくしてモニタ装置３Ａ及び３Ｂは、それぞれ情報信号でなるビデオ信号及びオーディオ信号をユーザーに提供する第１及び第２の機器を構成する。
【００４３】
リモートコマンダ４は、各リモートコマンダ４に割り当てられた識別情報ＩＤをそれぞれ識別情報保持部２６に保持する。制御部２７は、操作子２８の操作に応動して送信部２９を駆動することにより、モニタ装置３Ａ等に対して遠隔制御信号を出力する。このとき制御部２７は、識別情報保持部２６に保持した識別情報を、遠隔制御信号による制御コマンドに付加して送出する。
【００４４】
かくしてリモートコマンダ４は、光ディスク装置２の識別情報検出部１４と共に、映像信号取得手段でなる光ディスク装置により再生されたビデオ信号及びオーディオ信号について、このビデオ信号及びオーディオ信号の提供対象を検出する提供対象検出手段を構成する。また同様に、ＩＤ入力操作子２２も、光ディスク装置２の識別情報検出部１４と共に、ビデオ信号及びオーディオ信号の提供対象を検出する提供対象検出手段を構成する。
【００４５】
以上の構成において、ＡＶシステム１においては（図１）、バスＢＵＳに光ディスク装置２等の機器が接続されてアイドリングの電源が立ち上げられると、各機器のネットワークインターフェース９、１８により、バスＢＵＳに接続された各機器の機器アドレスが問い合わされ、バスＢＵＳに未設定の機器アドレスが各機器に設定される。またこのネットワークインターフェース９、１８により、バスＢＵＳの状態が監視され、バスＢＵＳの接続が変更されると、同様にして、機器アドレスが再設定される。
【００４６】
このようにして機器アドレスが設定された状態で、図３に示すように、ステップＳＰ１において、ユーザーがリモートコマンダ４の操作子を操作して光ディスク装置２の電源をオン操作すると、リモートコマンダ４においては、ステップＳＰ２に移り、対応する制御コマンドに識別情報を付加して遠隔制御信号を送出する。
【００４７】
この遠隔制御信号は、ステップＳＰ３において、リモートコマンダ４と同じ部屋に配置されたモニタ装置３Ａのリモコン受信部２０により受信され、続く識別情報検出部２１により識別情報ＩＤが検出される。さらに光ディスク装置の電源をオン操作する場合でなることにより、この遠隔制御信号による制御コマンドは、通信制御部１９に取り込まれ、続くステップＳＰ４において、この通信制御部１９により制御部１６が制御されてモニタ装置３Ａの主電源が立ち上げられる。
【００４８】
さらにこの制御コマンドは、続くステップＳＰ５において、識別情報検出部２１により検出された識別情報、このモニタ装置３Ａの属性情報、機器アドレスが付加され、これらのデータがデータフィールドに割り当てられ、光ディスク装置２の機器アドレスが送信先アドレスに設定されてバスＢＵＳに送出される。これによりリモコン受信部２０で受信した制御コマンドが光ディスク装置２に向けて転送される。
【００４９】
この制御コマンドを割り当てたパケットは、ステップＳＰ６において、光ディスク装置２のネットワークインターフェース９により取得され、データフィールドに割り当てられた制御コマンド、識別情報、属性情報、機器アドレスが通信制御部１０に入力される。図４に示すように、続くステップＳＰ７において、このなかの識別情報ＩＤが識別情報検出部１４により検出される。
【００５０】
さらに続くステップＳＰ８において、この識別情報ＩＤがメモリ１２に格納された識別情報と一致するか否か、判定部１３により判定される。ここで初期状態においては、メモリ１２に設定されたデフォルト値により一致結果が得られ、続くステップＳＰ９において、メモリ１２に識別情報ＩＤ１が記録される。
【００５１】
続いてステップＳＰ１０において、モニタ装置３Ａの属性情報と、光ディスク装置２の属性情報とが一致するか否か判定することにより、光ディスク装置２をモニタ装置３Ａに接続可能か否か判定され、ここで接続可能と判定されると、続くステップＳＰ１１において、応答のコマンドがモニタ装置３Ａに送出される。
【００５２】
続くステップＳＰ１２においてこの応答のコマンドがモニタ装置３Ａにより受信され、これにより光ディスク装置２よりモニタ装置３Ａに向けてビデオ信号及びオーディオ信号が送信される旨、モニタ装置３Ａに通知される。続くステップＳＰ１３において、光ディスク装置２は、通信制御部１０の制御により制御部７が制御されて主電源が立ち上げられ、続くステップＳＰ１４より映像再生部６により光ディスクの再生が開始される。
【００５３】
図５に示すように、このようにして光ディスクの再生が開始されると、ステップＳＰ１５において、再生されたビデオ信号及びオーディオ信号の送出がネットワークインターフェース９より開始され、モニタ装置３Ａでは、この送出されたビデオ信号及びオーディオ信号の受信をステップＳＰ１６より開始し、表示部１５より出力する。
【００５４】
このようにして光ディスクの再生を開始した後、ステップＳＰ１７において、ユーザーがリモートコマンダ４の留保の操作子を操作すると、続くステップＳＰ１８において、リモートコマンダ４より識別符号の付加された制御コマンドが送信される。
【００５５】
ユーザーがモニタ装置３Ａと同じ部屋に未だ存在する場合、モニタ装置３Ａにおいて、続くステップＳＰ１９でこの遠隔制御信号が受信され、続くステップＳＰ２０においてこの遠隔制御信号による制御コマンドに機器アドレス、属性情報が付加されて光ディスク装置２に送出される。
【００５６】
この制御コマンドは、続くステップＳＰ２１において、ネットワークインターフェース９により光ディスク装置２に取得され、この光ディスク装置２の通信制御部１０に入力される。ここで制御コマンドは、続くステップＳＰ２２において、識別情報検出部１４において、識別情報ＩＤ２が検出される。
【００５７】
この検出された識別情報ＩＤ２は、図６に示すステップＳＰ２３において、判定部１３によりメモリ１２に格納された識別情報ＩＤ１と一致するか否か判定され、ここで一致結果が得られると、続くステップＳＰ２４において、通信制御部１０よりモニタ装置３Ａに対して応答コマンドが発行された後、続くステップＳＰ２５で光ディスクの再生が一時停止の状態に切り換えられる。
【００５８】
これによりこのＡＶシステム１においては、一旦特定個人が使用を開始すると、第３者よりこの使用を妨げられないようになされ、その分使い勝手を向上できるようになされている。
【００５９】
この応答コマンドは、ステップＳＰ２６において、モニタ装置３Ａのネットワークインターフェース１８を介して、通信制御部１９に入力され、この応答コマンドにより続くステップＳＰ２７において、モニタ装置３Ａの主電源が立ち下げられる。
【００６０】
この状態に設定された後、例えばユーザーがモニタ装置３Ｂを配置した寝室に移動した後、ステップＳＰ２８においてリモートコマンダ４を操作すると、続くステップＳＰ２９において、このリモートコマンダ４より識別符号の付加された制御コマンドが送出される。この制御コマンドは、ステップＳＰ３０において、同じ部屋に配置されたモニタ装置３Ｂにより受信される。
【００６１】
これによりモニタ装置３Ｂは、続くステップＳＰ３１において、この制御コマンドに応動して制御部１６により主電源が立ち上げられる。また図７のステップＳＰ３２において、通信制御部１９によりこの制御コマンドにモニタ装置３Ｂの属性情報、機器アドレスが付加されて光ディスク装置２に向けて転送される。
【００６２】
この制御コマンドは、続くステップＳＰ３３において、光ディスク装置２に取得され、この光ディスク装置２の通信制御部１０に入力される。ここで制御コマンドは、続くステップＳＰ３４において、識別情報検出部１４で識別情報ＩＤ２が検出される。
【００６３】
この検出された識別情報ＩＤ２は、ステップＳＰ３５において、判定部１３によりメモリ１２に格納された識別情報ＩＤ１と一致するか否か判定される。ここで一致結果が得られると、制御コマンドは、続くステップＳＰ３６において、通信制御部１０により属性情報が判定され、この制御コマンドを転送したモニタ装置３Ｂに対して光ディスク装置２を接続可能か否か判定される。
【００６４】
ここで接続可能の判定結果が得られると、ステップＳＰ３７において、通信制御部１０よりモニタ装置３Ｂに対して応答コマンドが発行され、この応答コマンドがステップＳＰ３８においてモニタ装置３Ｂで取得される。これにより光ディスク装置２より、モニタ装置３Ａに対してビデオ信号及びオーディオ信号を送出する旨通知された後、続くステップＳＰ３９よりビデオ信号及びオーディオ信号の送出が開始される。さらに送出を開始すると、光ディスクの一時停止が解除される。
【００６５】
モニタ装置３Ｂでは、続くステップＳＰ４０で、このビデオ信号及びオーディオ信号の受信を開始する。これによりこのＡＶシステム１では、リモートコマンダ４を携帯して操作するだけの簡易な操作により、光ディスク装置２で再生したビデオ信号及びオーディオ信号を、モニタ装置３Ａ及び３Ｂで切り換えて引続き視聴できるようになされている。
【００６６】
またリモートコマンダ４の操作に代えて、各モニタ装置３Ａ、３Ｂに配置されたＩＤ入力操作子２２を操作して、各モニタ装置３Ａ、３Ｂに配置された電源の操作子等を操作した場合には、上述のリモートコマンダ４により制御コマンドに代えて、制御部１６、通信制御部１９により、識別情報ＩＤの付加された制御コマンドが生成されると共に、この制御コマンドが光ディスク装置２に送出される。
【００６７】
これによりリモートコマンダ４を携帯し忘れたような場合でも、対応するＩＤ入力操作子２２を操作して、光ディスク装置２で再生したビデオ信号及びオーディオ信号を、モニタ装置３Ａ及び３Ｂで切り換えて引続き視聴できるようになされている。
【００６８】
なお光ディスク装置２においては、再生終了の制御コマンド等の入力により、それまでオーディオ信号及びビデオ信号を送出していた機器に対して、これらの信号の提供が終了したと判断される場合、通信制御部１０の判断によりメモリ１２の内容がデフォルト値に戻されるようになされ、これにより他のユーザーに対して使用が許可されるようになされている。
【００６９】
以上の構成によれば、リモートコマンダ４に識別情報を割り当て、この識別情報を基準にして、ビデオ信号及びオーディオ信号を切り換えて、光ディスク装置２よりモニタ装置３Ａ又は３Ｂに供給することにより、リモートコマンダ４を携帯して操作するだけの簡易な操作により、特定個人のユーザーに対して、モニタ装置３Ａより提供していたビデオ信号及びオーディオ信号を、引続きモニタ装置３Ｂより提供することができる。従ってその分ＡＶシステム１の使い勝手を向上することができる。
【００７０】
また各モニタ装置３Ａ、３Ｂに配置されたＩＤ入力操作子２２の操作により、識別情報ＩＤを付加した制御コマンドを発行し、同様に、この識別情報を基準にして、ビデオ信号及びオーディオ信号を切り換えて、光ディスク装置２よりモニタ装置３Ａ又は３Ｂに供給することにより、ＩＤ入力操作子２２を操作するだけの簡易な操作により、特定個人のユーザーに対して、モニタ装置３Ａより提供していたビデオ信号及びオーディオ信号を、引続きモニタ装置３Ｂより提供することができる。従ってこれによってもＡＶシステム１の使い勝手を向上することができる。
【００７１】
（２）第２の実施の形態
図８は、本発明の第２の実施の形態に係るＡＶシステムを示すブロック図である。このＡＶシステム４０は、光ディスク装置４１、モニタ装置４２Ａ及び４２ＢをＩＥＥＥ１３９４に規定されたバスＢＵＳにより接続してネットワークを形成し、各機器の直接の操作により、またリモートコマンダ４３の操作により、全体の動作を切り換える。なおこの図８において、図１について上述した第１の実施の形態と同一の構成は、対応する符号を付して示し、重複した説明は省略する。
【００７２】
このＡＶシステム４０において、リモートコマンダ４３は、識別情報ＩＤに対応した複数のＩＤ入力操作子４４Ａ、４４Ｂ、……を有し、各操作子４４Ａ、４４Ｂ、……の操作に応動してそれぞれ対応する識別情報保持部４５Ａ、４５Ｂ、……より識別情報ＩＤＡ、ＩＤＢ、……を送出するようになされている。なおこれら識別情報保持部４５Ａ、４５Ｂ、……は、複数の識別情報を登録して、各操作子４４Ａ、４４Ｂ、……の操作により対応する識別情報をアクセスできるように構成された１つのメモリにより構成される。
【００７３】
制御部４６は、操作子２８が操作されると、この操作子２８に対応する制御コマンドに対して識別情報保持部４５Ａ、４５Ｂ、……より出力される識別情報を付加して遠隔制御信号を生成し、この遠隔制御信号を送信部２９より送出する。これによりこのＡＶシステム４０では、いちいちリモートコマンダ４３を携帯しなくても、操作子４４Ａ、４４Ｂ、……の選択的な操作により、継続したビデオ信号及びオーディオ信号を異なるモニタ装置４２Ａ、４２Ｂにより視聴できるようになされている。
【００７４】
さらにこの実施の形態において、光ディスク装置４１は、第１の実施の形態に係る光ディスク装置２に対して、識別情報検出部１４、メモリ１２、判定部１３が省略されて構成され、これにより通信制御部４９においては、バスＢＵＳを介して入力される制御コマンドについては、属性情報により接続可能か否か判定して応答コマンドを発行した後、光ディスク装置４１の動作を切り換えるようになされている。
【００７５】
これに代えてモニタ装置４２Ａ及び４２Ｂは、それぞれ識別情報検出部５０、メモリ５１、判定部５２が配置されるように構成され、これによりＡＶシステム４０では、第１の実施の形態において光ディスク装置２により実施していた識別情報による情報提供先の判定を、モニタ装置４２Ａ及び４２Ｂ間で実施し、またその結果得られる判定結果に基づいて光ディスク装置２の動作を切り換えて、例えばモニタ装置４２Ａでモニタしていた光ディスクの再生結果を引き続いてモニタ装置４２Ｂによりモニタできるようになされている。
【００７６】
すなわちモニタ装置４２Ａにおいて、識別情報検出部５０は、上述のモニタ装置３Ａにおける識別情報検出部２１の構成と、光ディスク装置２における識別情報検出部１４の構成を併せ持つ。すなわち識別情報検出部５０は、リモコン受信部２０の受信結果より識別情報を検出して通信制御部５４に出力し、またＩＤ入力操作子２２の操作に応動して識別情報を生成して通信制御部５４に出力する。さらに識別情報検出部５０は、バスＢＵＳより取得した制御コマンドについて、この制御コマンドに付加された識別情報を検出して出力する。
【００７７】
メモリ５１は、識別情報を保持し、ＡＶシステム４０では、このメモリ５１に保持した識別情報を基準にして全体の動作を切り換える。判定部５２は、このメモリ５１に保持した識別情報と、識別情報検出部５０により検出される識別情報とを比較し、一致、不一致の判定結果を通信制御部５４に出力する。
【００７８】
通信制御部５４は、例えば光ディスク装置４１より出力されるビデオ信号及びオーディオ信号を処理している場合に、バスＢＵＳを介して制御コマンドが入力されると、この判定部５２により一致の判定結果が得られた場合についてだけ、この制御コマンドにより動作を切り換える。また同様に、動作中に、リモコン受信部２０より制御コマンドが入力されると、さらには直接、各種操作子が操作された場合、判定部５２により一致の判定結果が得られた場合についてだけ、この制御コマンド又は操作子の操作に応動して動作を切り換える。
【００７９】
これに対して主電源が立ち下げられている状態で、制御コマンドが入力され、また個別に操作子が操作された場合には、対応する識別情報をメモリ５１に登録し、またこれら制御コマンド、操作子の操作に応動して動作を切り換える。
【００８０】
これによりＡＶシステム４０においては、例えばモニタ装置４２Ａの電源を立ち上げて光ディスクの再生を開始した後、同一の識別情報を入力することを前提にして、モニタ装置４２Ａの動作を留保した後、モニタ装置４２Ｂの動作を立ち上げて、モニタ装置４２Ａで試聴していた番組を引続きモニタ装置４２Ｂで視聴できるようになされている。
【００８１】
図８に示す構成によれば、１つのリモートコマンダ４３により識別情報を選択的に入力するようにしても、第１の実施の形態と同様の効果を得ることができる。
【００８２】
また光ディスク装置２に代えて、モニタ装置４２Ａ及び４２Ｂ側で識別情報を判定するようにしても、第１の実施の形態と同様の効果を得ることができる。
【００８３】
（３）他の実施の形態
なお上述の実施の形態においては、個々のリモートコマンダに識別情報を割り当てる場合、さらには１つのリモートコマンダで種々の識別情報を選択的に入力する場合について述べたが、本発明はこれに限らず、例えばＩＣカード等に個人の識別情報を登録し、このＩＣカードをリモートコマンダにセットし、又は機器本体にセットし、これにより各種制御コマンドに識別情報を付加するようにしてもよい。
【００８４】
またＩＣカードに代えて、例えば図９に示すように、音声認識結果に基づいて制御コマンドを生成すると共に、識別情報を付加するようにしてもよい。すなわちリモートコマンダ６０において、音声認識部６１は、マイク６２により取得したユーザーの音声信号を音声認識し、音声認識結果を制御部６３に通知する。制御部６３は、この音声認識結果に基づいて制御コマンドを生成し、また識別情報保持部６４に保持した複数の識別情報からユーザーの識別情報を選択する。さらに制御部６３は、このように選択した識別情報を、生成した制御コマンドに付加し、送信部２６より送出する。このようにしても上述の実施の形態と同様の効果を得ることができる。
【００８５】
さらに上述の実施の形態においては、モニタ装置間でビデオ信号及びオーディオ信号のモニタを切り換える際に、光ディスク装置の動作を一時停止する場合について述べたが、本発明はこれに限らず、必要に応じてこの一時停止の処理を省略してもよい。
【００８６】
また上述の実施の形態においては、モニタ装置間でビデオ信号及びオーディオ信号のモニタを切り換える際に、一方のモニタ装置の表示を停止した後、他方のモニタ装置を立ち上げる場合について述べたが、本発明はこれに限らず、必要に応じて他方のモニタ装置でビデオ信号及びオーディオ信号の表示を開始して２台のモニタ装置で共通の静止画を表示した後、それまでモニタしていたモニタ装置を立ち下げるようにしてもよい。なおこの場合、上述の第２の実施の形態のような構成においては、他方のモニタ装置側から制御して一方のモニタ装置の電源を立ち下げることになる。
【００８７】
さらに上述の実施の形態においては、引続き視聴するモニタ装置側で、個別にモニタ装置の電源を立ち上げる場合について述べたが、本発明はこれに限らず、事前に移動先が判明している場合、２台のモニタ装置で動作を切り換える場合等にあっては、視聴を中止するモニタ装置側からの制御により、引続き視聴するモニタ装置の電源を立ち上げる等の制御を実行してもよい。
【００８８】
また上述の実施の形態においては、１台の光ディスク装置より出力されるビデオ信号及びオーディオ信号を２台のモニタ装置で切り換えて視聴する場合について述べたが、本発明はこれに限らず、種々の機器によりＡＶシステムを構成する場合に広く適用することができる。この場合に、例えばチュナーとモニタ装置とが一体になったテレビジョン受像機を複数台接続して、このテレビジョン受像機の動作を切り換えて１つの番組を継続して視聴する場合には、複数の機器間で、識別情報を基準にしたそれまで視聴していた受信チャンネル等の情報について、データ通信することが必要になる。
【００８９】
また上述の実施の形態においては、ＡＶシステムに本発明を適用してＩＥＥＥ１３９４により各機器を接続する場合について述べたが、本発明はこれに限らず、種々のシリアルインタフェース、パラレルインターフェースによりコンパクトディスクプレイヤー、アンプ、スピーカ等を接続してオーディオシステムを構成する場合、さらには種々の有線、無線による通信ネットワークに広く適用することができる。
【００９０】
【発明の効果】
上述のように本発明によれば、リモートコマンダに設定した識別情報等により情報提供対象を検出し、この情報提供対象に応じて、機器を切り換えて連続する情報信号を提供することにより、簡易な操作で、例えば居間で視聴していた番組を引続き寝室で視聴することができ、その分この種のネットワークの使い勝手を向上することができる。
【図面の簡単な説明】
【図１】本発明の第１の実施の形態に係るＡＶシステムを示すブロック図である。
【図２】図１のＡＶシステムに適用されるパケットを示す略線図である。
【図３】図１のＡＶシステムの動作の説明に供するタイムチャートである。
【図４】図３に続く動作の説明に供するタイムチャートである。
【図５】図４に続く動作の説明に供するタイムチャートである。
【図６】図５に続く動作の説明に供するタイムチャートである。
【図７】図６に続く動作の説明に供するタイムチャートである。
【図８】本発明の第２の実施の形態に係るＡＶシステムを示すブロック図である。
【図９】他の実施の形態に係るＡＶシステムのリモートコマンダを示すブロック図である。
【符号の説明】
１、４０……ＡＶシステム、２、４１……光ディスク装置、３Ａ、３Ｂ、４２Ａ、４２Ｂ……モニタ装置、４、６０……リモートコマンダ、７、１６、２７、４６、６２……制御部、９、１８……ネットワークインターフェース、１０、１９……通信制御部、１２、５１……メモリ、１３、５２……判定部、１４、２１、５０……識別情報検出部、２２……ＩＤ入力操作子、２６、４５Ａ、４５Ｂ、６４……識別情報保持部、６１……音声認識部
【図１】
0003658896.tif 000002
【図２】
0003658896.tif 000003
【図３】
0003658896.tif 000004
【図４】
0003658896.tif 000005
【図５】
0003658896.tif 000006
【図６】
0003658896.tif 000007
【図７】
0003658896.tif 000008
【図８】
0003658896.tif 000009
【図９】
0003658896.tif 000010